(57)【要約】【課題】本発明は、撮像空間の磁場中心に対する被検体の位置合わせをより正確、かつ速やかに行うことを目的とするものである。【解決手段】第２の位置決め部材１８に対してテーブル７と第１の位置決め部材１６とを移動させて撮像部位を仮想磁場中心に移動させた後、第２の位置決め部材１８に対する第１の位置決め部材１６の移動に抵抗を与えた状態で、テーブル７をオフセット距離Ｌだけ撮像空間側へ移動させることにより、撮像部位が磁場中心に重なった位置でテーブル７を機械的に止める。【選択図】図１１
2012223486.tif 000002
【特許請求の範囲】
【請求項１】
ＭＲＩガントリ、
所定の方向へ水平移動可能であり、被検体を載せて前記ＭＲＩガントリの撮像空間に移動させるためのテーブル、
前記撮像空間の磁場中心から所定のオフセット距離だけ離れた仮想磁場中心の位置を示す仮想磁場中心表示手段、
前記テーブルに設けられ、前記テーブルに対して前記テーブルの移動方向と平行な方向へ移動可能な第１の位置決め部材、
前記テーブルに対する前記第１の位置決め部材の移動に抵抗を与える第１の抵抗印加手段、
前記テーブルの移動方向への前記第１の位置決め部材の移動範囲を規制する第２の位置決め部材、及び
前記第２の位置決め部材に対する前記第１の位置決め部材の移動に抵抗を与える第２の抵抗印加手段
を備え、
前記第１の位置決め部材に対する前記テーブルの移動範囲、及び前記第２の位置決め部材に対する前記第１の位置決め部材の移動範囲のいずれか一方が、前記オフセット距離に規制されていることを特徴とする磁気共鳴イメージング装置。
【請求項２】
前記第１の位置決め部材には、前記第１の位置決め部材に対する前記テーブルの移動範囲を前記オフセット距離に規制するストッパが設けられていることを特徴とする請求項１記載の磁気共鳴イメージング装置。
【請求項３】
前記第１の抵抗印加手段は、前記テーブルに設けられ、前記第１の位置決め部材に対して抵抗として転がり摩擦力を印加するカムフォロアであり、
前記第１の位置決め部材には、前記第２の位置決め部材に対する前記第１の位置決め部材の移動時に前記第２の位置決め部材に沿って転動される補助車輪が設けられており、
前記カムフォロアの転がり摩擦力は、前記補助車輪の転がり摩擦力よりも高く設定されており、
前記第２の抵抗印加手段は、前記補助車輪の回転をロックする補助車輪ロック装置であり、
前記テーブルには、前記カムフォロアを前記第１の位置決め部材から引き離すためのカムフォロア操作レバーと、前記補助車輪ロック装置による前記補助車輪のロック状態を解除するための補助車輪ロック操作レバーとが設けられていることを特徴とする請求項２記載の磁気共鳴イメージング装置。
【請求項４】
前記テーブルには、複数の主車輪と、少なくとも１つの主車輪の回転をロックするテーブルロック装置とが設けられており、
前記テーブルの側面には、前記テーブルロック装置による前記テーブルのロック状態を解除する解除レバーと、前記カムフォロア操作レバー及び前記補助車輪ロック操作レバーを兼ねる磁場中心セットレバーとが設けられていることを特徴とする請求項３記載の磁気共鳴イメージング装置。
【請求項５】
前記第２の位置決め部材には、前記第２の位置決め部材に対する前記第１の位置決め部材の移動範囲を前記オフセット距離に規制するストッパが設けられていることを特徴とする請求項１記載の磁気共鳴イメージング装置。
【請求項６】
前記テーブルには、前記テーブルに対する前記第１の位置決め部材の移動時に前記第１の位置決め部材に沿って転動されるカムフォロアが設けられており、
前記第１の抵抗印加手段は、前記カムフォロアの回転をロックするカムフォロアロック装置であり、
前記第２の抵抗印加手段は、前記第１の位置決め部材に設けられ、前記第１の位置決め部材に対して抵抗として転がり摩擦力を印加する補助車輪であり、
前記補助車輪の転がり摩擦力は、前記カムフォロアの転がり摩擦力よりも高く設定されており、
前記テーブルには、前記補助車輪ロック装置による前記補助車輪のロック状態を解除するための補助車輪ロック操作レバーが設けられていることを特徴とする請求項５記載の磁気共鳴イメージング装置。
【発明の詳細な説明】
【技術分野】
【０００１】
この発明は、被検体をテーブルに載せて手動で撮像空間内に送り込むタイプの磁気共鳴イメージング装置に関するものである。
【背景技術】
【０００２】
ＭＲＩ検査法は、核磁気共鳴（ＮＭＲ）現象を利用して人体の断層像を得る検査法であり、広く医療機関で利用されている。また、１日に何人もの患者を画像診断する病院が多いため、予約の患者を立て続けに撮像することも珍しくない。さらに、ＭＲＩ撮像時間は、検査部位によって異なるが、平均３０分前後であり、他の画像診断装置よりも長い時間が必要である。このため、被検者をテーブルに安全に乗り降りさせつつ、撮像セッティングをよりスムーズに行うことが求められている。
【０００３】
従来のＭＲＩ装置における撮像セッティング手順では、まず、予めＭＲＩガントリの外側に引き出されたテーブルに被検者を載せる。次に、ＭＲＩガントリの端部に設けられた投光器から発せられたガイド光の位置を仮想磁場中心として、仮想磁場中心に被検者の撮像部位が重なるようにテーブルの天板をＭＲＩガントリ側へ移動させる。この後、天板の縁に設けられたマーカスケールの目盛を用いて、天板を所定距離だけＭＲＩガントリ内に押し込む。これにより、撮像部位が撮像空間の磁場中心に移動される。この後、テーブルの下部に配置されたペダルロックを踏み、テーブルを固定する（例えば、特許文献１参照）。
【先行技術文献】
【特許文献】
【０００４】
【特許文献１】特開平１１−２９０２９３号公報
【発明の概要】
【発明が解決しようとする課題】
【０００５】
上記のような従来のＭＲＩ装置では、マーカスケールの目盛を用いて撮像部位を磁場中心まで移動させるが、天板を停止させる位置が目分量であるため、撮像部位が正確に磁場中心に移動したかどうかを十分に確認する必要があった。また、ペダルロックを踏む際に、一度合わせた天板の位置が微妙にずれる可能性もあり、撮像セッティングに手間がかかっていた。
【０００６】
この発明は、上記のような課題を解決するためになされたものであり、撮像空間の磁場中心に対する被検体の位置合わせをより正確、かつ速やかに行うことができる磁気共鳴イメージング装置を得ることを目的とする。
【課題を解決するための手段】
【０００７】
この発明に係る磁気共鳴イメージング装置は、ＭＲＩガントリ、所定の方向へ水平移動可能であり、被検体を載せてＭＲＩガントリの撮像空間に移動させるためのテーブル、撮像空間の磁場中心から所定のオフセット距離だけ離れた仮想磁場中心の位置を示す仮想磁場中心表示手段、テーブルに設けられ、テーブルに対してテーブルの移動方向と平行な方向へ移動可能な第１の位置決め部材、テーブルに対する第１の位置決め部材の移動に抵抗を与える第１の抵抗印加手段、テーブルの移動方向への第１の位置決め部材の移動範囲を規制する第２の位置決め部材、及び第２の位置決め部材に対する第１の位置決め部材の移動に抵抗を与える第２の抵抗印加手段を備え、第１の位置決め部材に対するテーブルの移動範囲、及び第２の位置決め部材に対する第１の位置決め部材の移動範囲のいずれか一方が、オフセット距離に規制されている。
【発明の効果】
【０００８】
この発明の磁気共鳴イメージング装置は、第１の位置決め部材に対してテーブルを移動させて撮像部位を仮想磁場中心に移動させた後、第１の位置決め部材に対するテーブルの移動に抵抗を与えた状態で、テーブルと第１の位置決め部材とをオフセット距離だけ撮像空間側へ移動させるか、又は、第２の位置決め部材に対してテーブルと第１の位置決め部材とを移動させて撮像部位を仮想磁場中心に移動させた後、第２の位置決め部材に対する第１の位置決め部材の移動に抵抗を与えた状態で、テーブルをオフセット距離だけ撮像空間側へ移動させることにより、撮像部位が磁場中心に重なった位置でテーブルを機械的に止めることができ、撮像空間の磁場中心に対する被検体の位置合わせをより正確、かつ速やかに行うことができる。
【図面の簡単な説明】
【０００９】
【図１】この発明の実施の形態１によるオープン構造のＭＲＩ装置を示す正面図である。
【図２】図１のＭＲＩ装置を示す側面図である。
【図３】図１のＭＲＩガントリを示す正面図である。
【図４】図３のＭＲＩガントリを示す側面図である。
【図５】図３のＭＲＩガントリを示す平面図である。
【図６】図１のテーブルの要部を示す斜視図である。
【図７】図６のテーブルを示す側面図である。
【図８】図６の要部を示す断面図である。
【図９】図６の第１及び第２の位置決め部材を示す側面図である。
【図１０】図６のＸ部を拡大して示す正面図である。
【図１１】実施の形態１のＭＲＩ装置による撮像セッティングの手順を示す説明図である。
【図１２】被検体の左肩が撮像部位である場合に撮像セッティングの手順を示す説明図である。
【図１３】この発明の実施の形態２のＭＲＩ装置による撮像セッティングの手順を示す説明図である。
【図１４】この発明の実施の形態３のＭＲＩ装置による撮像セッティングの手順を示す説明図である。
【発明を実施するための形態】
【００１０】
以下、この発明を実施するための形態について、図面を参照して説明する。
実施の形態１．
図１はこの発明の実施の形態１によるオープン構造のＭＲＩ装置（磁気共鳴イメージング装置）を示す正面図、図２は図１のＭＲＩ装置を示す側面図である。図において、ＭＲＩガントリ１には、均一な静磁場を発生する静磁場発生磁石と、静磁場空間内に傾斜磁場を生成する傾斜磁場コイルと、被検体２に高周波信号を照射する照射コイルと、被検体２から発生するＮＭＲ信号を検出する検出コイルとが設けられている。
【００１１】
また、ＭＲＩガントリ１は、下側磁石部３と、撮像空間を介して下側磁石部３に対向する上側磁石部４と、下側磁石部３と上側磁石部４との間に設けられている第１及び第２の柱部５，６とを有している。
【００１２】
テーブル（横置きテーブル）７は、テーブル基部（土台）８と、テーブル基部８上に設けられ、被検体２を載せる天板９とを有している。天板９は、テーブル基部８に対して、被検体体軸方向（図のＹ軸方向）に水平に移動可能となっている。テーブル基部８は、設置面上を体軸直交方向（図のＸ軸方向）へ水平に移動可能となっている。
【００１３】
天板９上の被検体２は、テーブル７を体軸直交方向へ手動で水平移動させることにより、ＭＲＩガントリ１の撮像空間に移動される。また、テーブル７は、両端支持構造となっており、被検体２を撮像空間に移動させたとき、体軸方向両端の支持柱間の空間に下側磁石部３が入り込むようになっている。
【００１４】
図３は図１のＭＲＩガントリ１を示す正面図、図４は図３のＭＲＩガントリ１を示す側面図、図５は図３のＭＲＩガントリ１を示す平面図である。上側磁石部４の幅方向両端には、撮像空間の磁場中心を示す磁場中心表示手段としての第１及び第２の磁場中心レーザ投光器１１，１２が取り付けられている。
【００１５】
第１の磁場中心レーザ投光器１１は、平面状のレーザ光１１ａを下向きに照射する。第２の磁場中心レーザ投光器１２は、平面状のレーザ光１２ａを下向きに照射する。レーザ光１１ａ，１２ａは、磁場中心を通る被検体体軸方向（縦方向）に平行な直線を投影する。
【００１６】
上側磁石部４の前面には、仮想磁場中心の位置を示す仮想磁場中心表示手段としての仮想磁場中心レーザ投光器１３が取り付けられている。仮想磁場中心レーザ投光器１３は、互いに直交する平面状のレーザ光１３ａ，１３ｂを下向きに照射する。
【００１７】
仮想磁場中心は、磁場中心からＭＲＩガントリ１に対するテーブル７の移動方向（Ｘ軸方向）に所定の距離（オフセット距離：Ｌｍｍ）だけオフセットされた位置であり、ＭＲＩガントリ１の外側に設定されている。
【００１８】
レーザ光１３ａは、仮想磁場中心を通る被検体体軸方向に平行な直線を投影する。また、レーザ光１３ｂは、仮想磁場中心を通る体軸直交方向（横方向）に平行な直線を投影する。従って、仮想磁場中心レーザ投光器１３は、仮想磁場中心を、レーザ光１３ａ，１３ｂの交点として示す。
【００１９】
撮像セッティング時には、ＭＲＩガントリ１の外側で被検体２の撮像部位を仮想磁場中心に合わせた後、オフセット距離Ｌの分だけテーブル７をＭＲＩガントリ１内に押し込むことにより、撮像部位を磁場中心に合わせる。
【００２０】
図６は図１のテーブル７の要部を示す斜視図である。テーブル基部８の下部には、テーブル７を移動させる際にＭＲＩ装置の設置面（床面）上を転動される複数個の主車輪１４が設けられている。これらの主車輪１４により、テーブル７の移動の際の直進性が高められている。また、テーブル基部８の下部には、テーブル７の一部として取付部材１５が固定されている。
【００２１】
取付部材１５には、第１の位置決め部材（ローラガイド）１６が連結されている。第１の位置決め部材１６は、テーブル７に対してテーブル７の移動方向（体軸方向）と平行な方向へ移動可能である。取付部材１５には、テーブル７に対して第１の位置決め部材１６が相対的に移動される際に第１の位置決め部材１６に沿って転動される一対のカムフォロア１７が設けられている。
【００２２】
第１の位置決め部材１６には、テーブル７に対する第１の位置決め部材１６の移動範囲を規制する第１及び第２のストッパ１６ａ，１６ｂが設けられている。第１及び第２のストッパ１６ａ，１６ｂの間隔は、オフセット距離Ｌに設定されている。即ち、第１の位置決め部材１６に対するテーブル７の移動範囲は、オフセット距離Ｌに規制されている。
【００２３】
ＭＲＩ装置の設置面には、第２の位置決め部材１８が固定されている。第２の位置決め部材１８には、テーブル７の移動方向への第１の位置決め部材１６の移動範囲を規制する第３及び第４のストッパ１８ａ，１８ｂが設けられている。
【００２４】
第１の位置決め部材１６には、第２の位置決め部材１８上を転動され第１の位置決め部材１６の直進性を高める補助車輪１９が設けられている。この補助車輪１９が第３及び第４のストッパ１８ａ，１８ｂに当接することにより、第２の位置決め部材１８に対する第１の位置決め部材１６の移動範囲が規制される。
【００２５】
図７は図６のテーブル７を示す側面図である。テーブル基部８には、主車輪１４の回転に抵抗を与えてテーブル７の移動を阻止するテーブルロック装置２０が設けられている。テーブルロック装置２０は、アーム２１、当接部材２２、衝撃吸収部材２３及びロックばね２４を有している。
【００２６】
アーム２１は、テーブル基部８に設けられ、軸２１ａを中心として揺動可能である。当接部材２２は、アーム２１の端部に設けられ、主車輪１４の外周に当接される。衝撃吸収部材２３は、アーム２１と当接部材２２との間に設けられている。アーム２１は、ロックばね２４により、当接部材２２を主車輪１４に押し付ける方向へ付勢されている。
【００２７】
アーム２１の当接部材２２とは反対側の端部には、ワイヤ２５が接続されている。ばね２４のばね力に抗してワイヤ２５を引くことにより、アーム２１が揺動され、当接部材２２が主車輪１４から離されて、テーブル７のロック状態が解除される。
【００２８】
図８は図６の要部を示す断面図である。カムフォロア１７は、第１の位置決め部材１６を所定の圧力で挟み込んでいる。カムフォロア１７の転がり摩擦力は、補助車輪１９の転がり摩擦力よりも高く設定されている。従って、カムフォロア１７は、テーブル７に対する第１の位置決め部材１６の移動に抵抗を与える第１の抵抗印加手段として機能する。
【００２９】
取付部材１５には、カムフォロア１７を第１の位置決め部材１６から引き離すための分離機構２６が設けられている。分離機構２６には、ワイヤ２７が接続されている。カムフォロア１７を第１の位置決め部材１６に押し付ける力に抗してワイヤ２７を引くことにより、両カムフォロア１７が第１の位置決め部材１６から同時に離される。
【００３０】
図９は図６の第１及び第２の位置決め部材１６，１８を示す側面図である。第１の位置決め部材１６には、軸２９ａを中心として揺動可能なアーム２９が設けられている。アーム２９の端部には、補助車輪１９の外周に当接される当接部材３０が設けられている。アーム２９と当接部材３０との間には、衝撃吸収部材３１が設けられている。
【００３１】
軸２９ａには、当接部材３０が補助車輪１９から離れる方向へアーム２９を付勢する解除ばね（図示せず）が設けられている。アーム２９の当接部材３０とは反対側の端部には、ワイヤ３２が接続されている。解除ばねのばね力に抗してワイヤ３２を引くことにより、アーム２９が揺動され、当接部材３０が補助車輪１９に押し付けられて、補助車輪１９の回転がロックされる。
【００３２】
図１０は図６のＸ部を拡大して示す正面図である。天板９の側面下部には、ワイヤ２５が接続された解除レバー３３と、ワイヤ２７，３２が接続された磁場中心セットレバー３４とが設けられている。解除レバー３３を操作する（握る）ことにより、テーブルロック装置２０によるテーブル７のロック状態が解除され、テーブル７の移動が可能になる。
【００３３】
磁場中心セットレバー３４を操作する（握る）ことにより、カムフォロア１７が第１の位置決め部材１６から離されるとともに、当接部材３０（図９）が補助車輪１９に押し付けられる。即ち、磁場中心セットレバー３４は、カムフォロア１７を第１の位置決め部材１６から引き離すためのカムフォロア操作レバーと、補助車輪ロック装置２８による補助車輪１９のロック状態を解除するための補助車輪ロック操作レバーとを兼ねている。
【００３４】
また、この例では、解除レバー３３は独立して操作可能だが、磁場中心セットレバー３４を操作すると、解除レバー３３も連動して操作される。即ち、磁場中心セットレバー３４を握ると、解除レバー３３も同時に握った状態となる。
【００３５】
第２の抵抗印加手段としての補助車輪ロック装置２８は、アーム２９、当接部材３０、衝撃吸収部材３１、ワイヤ３２及び磁場中心セットレバー３４を有し、第２の位置決め部材１８に対する第１の位置決め部材１６の移動に抵抗を与える。
【００３６】
次に、撮像セッティングの手順について説明する。図１１は実施の形態１のＭＲＩ装置による撮像セッティングの手順を示す説明図である。まず、図１１（ａ）に示すように、テーブル７をＭＲＩガントリ１から最大に引き出した状態、即ち、カムフォロア１７が第２のストッパ１６ｂに当接し、補助車輪１９が第４のストッパ１８ｂに当接した状態で、天板９上に被検体２を載せる。
【００３７】
この後、解除レバー３３を握り、テーブルロック装置２０（図７）のロック状態を解除し、図１１（ｂ）に示すように、撮像部位（ここでは、被検体２の頭部）が仮想磁場中心に重なるまでテーブル７をＭＲＩガントリ１側へ移動させる。
【００３８】
このとき、磁場中心セットレバー３４は握らず、カムフォロア１７を第１の位置決め部材１６に密着されておくとともに、補助車輪１９のロックを解除しておく。この状態では、カムフォロア１７の転がり摩擦力が補助車輪１９の転がり摩擦力よりも高いため、第１の位置決め部材１６は、テーブル７に対して移動されず、第２の位置決め部材１８に対してのみ移動される。
【００３９】
この後、磁場中心セットレバー３４を握り、図１１（ｃ）に示すように、テーブル７に設けられたカムフォロア１７が第１のストッパ１６ａに当接するまで、テーブル７をＭＲＩガントリ１内に押し込む。
【００４０】
このとき、磁場中心セットレバー３４が握られているため、カムフォロア１７が第１の位置決め部材１６から引き離されているとともに、補助車輪１９の回転がロックされている。この状態では、第１の位置決め部材１６は、第２の位置決め部材１８に対して移動されず、テーブル７が第１の位置決め部材１６に対して移動される。
【００４１】
また、テーブル７は、第１及び第２のストッパ１６ａ，１６ｂ間の距離分だけ移動されるため、撮像部位は、仮想磁場中心から磁場中心まで正確に移動されることになる。この状態で磁場中心セットレバー３４を解除することにより、テーブル７がロックされる。
【００４２】
撮像作業の終了後は、解除レバー３３のみを握りながらテーブル７をＭＲＩガントリ１から引き出す。これにより、補助車輪１９が第４のストッパ１８ｂに当接するまで、第１の位置決め部材１６が第２の位置決め部材１８に対して移動される。
【００４３】
この後、テーブル７をさらに引き出すことにより、カムフォロア１７が第１の位置決め部材１６に対して滑り、カムフォロア１７が第２のストッパ１６ａに当接するまで、テーブル７が第１の位置決め部材１６に対して引き出される。これにより、テーブル７は完全に引き出され、一連の動作が完了する。
【００４４】
図１１では、被検体２の頭部を撮像部位とした例を示したが、図１２は、被検体２の左肩が撮像部位である場合に撮像セッティングの手順を示す説明図である。撮像部位が異なる場合であっても、撮像セッティングの手順や撮像後の手順は、上述の説明と同様である。
【００４５】
このようなＭＲＩ装置では、第２の位置決め部材１８に対してテーブル７と第１の位置決め部材１６とを移動させて撮像部位を仮想磁場中心に移動させた後、第２の位置決め部材１８に対する第１の位置決め部材１６の移動に抵抗を与えた状態で、テーブル７をオフセット距離Ｌだけ撮像空間側へ移動させることにより、撮像部位が磁場中心に重なった位置でテーブル７を機械的に止めることができ、磁場中心に対する被検体２の位置合わせをより正確、かつ速やかに行うことができる。
【００４６】
また、撮像部位を磁場中心へスムーズに移動させることができるとともに、精度の高い位置合わせが可能となり、撮像までの準備時間を短縮することができる。
さらに、電動式の天板９の移動機構を必要とせず、機械加工部品のみの組み合わせにより、安価な寝台を提供できる。
【００４７】
さらにまた、第１の位置決め部材１６に第１及び第２のストッパ１６ａ，１６ｂを設けたので、簡単な構成により、第１の位置決め部材１６に対するテーブル７の移動範囲をオフセット距離Ｌに規制することができる。
【００４８】
また、第１の抵抗印加手段としてカムフォロア１７を用い、第２の抵抗印加手段として補助車輪ロック装置２８を用い、カムフォロア１７の転がり摩擦力は、補助車輪１９の転がり摩擦力よりも高く設定されており、テーブル７には、カムフォロア１７を第１の位置決め部材１６から引き離すとともに、補助車輪ロック装置２８による補助車輪１９のロック状態を解除するための磁場中心セットレバー３４が設けられているので、簡単な構成により、撮像部位を仮想磁場中心に移動させる動作と磁場中心に移動させる動作とを切り換えて実施することができる。
【００４９】
さらら、テーブルロック装置２０によるテーブル７のロック状態を解除する解除レバー３３と、カムフォロア操作レバー及び補助車輪ロック操作レバーを兼ねる磁場中心セットレバー３４とを、テーブル７の側面に設けたので、テーブル７のロック状態を解除する動作と、テーブル７を仮想磁場中心までセットする動作と、テーブル７を磁場中心まで押し入れる動作とを、被検体２の様子を確認できる楽な姿勢で容易に行うことができる。
【００５０】
さらにまた、解除レバー３３を操作しない状態では、主車輪１４が常にロックされているため、テーブルロックの掛け忘れを防止することができ、また、天板９を昇降させる場合にもテーブル７がふらつかず、安定性を保つことができる。
【００５１】
なお、上記の例では、磁場中心セットレバー３４がカムフォロア操作レバー及び補助車輪ロック操作レバーを兼ねているが、カムフォロア操作レバー及び補助車輪ロック操作レバーを別々に設けてもよい。
また、上記の例では、第２の抵抗印加手段として補助車輪ロック装置２８を示したが、第２の抵抗印加手段はこれに限定されるものではなく、例えば第２の位置決め部材１８や床部に対して直接係合するものでもよい。
さらに、実施の形態１において、撮像部位を仮想磁場中心に移動させる際にカムフォロア１７をロックするカムフォロアロック装置を追加してもよい。この場合、カムフォロア１７の転がり摩擦力を補助車輪１９の転がり摩擦力よりも高く設定しなくてもよい。
【００５２】
実施の形態２．
次に、図１３はこの発明の実施の形態２のＭＲＩ装置による撮像セッティングの手順を示す説明図である。実施の形態２のＭＲＩ装置では、第３及び第４のストッパ１８ａ，１８ｂの間隔が、オフセット距離Ｌに設定されている。即ち、第２の位置決め部材１８に対する第１の位置決め部材１６の移動範囲が、オフセット距離Ｌに規制されている。
【００５３】
また、補助車輪１９の転がり摩擦力は、カムフォロア１７の転がり摩擦力よりも高く設定されている。即ち、補助車輪１９は、第１の位置決め部材１６に対して転がり摩擦力（抵抗）を印加する第２の抵抗印加手段として機能する。
【００５４】
さらに、実施の形態１の補助車輪ロック装置２８に代えて、カムフォロア１７の回転をロックする第１の抵抗印加手段としてのカムフォロアロック装置（図示せず）がテーブル７に設けられている。カムフォロアロック装置は、磁場中心セットレバー３４（図１０）を握ることにより操作され、カムフォロア１７の回転をロックする。
【００５５】
さらにまた、カムフォロア１７を第１の位置決め部材１６から引き離す機構は設けられておらず、磁場中心セットレバー３４は、カムフォロア１７の回転をロックするためのカムフォロアロック操作レバーとしてのみ機能する。他の構成は、実施の形態１と同様である。
【００５６】
次に、撮像セッティングの手順について説明する。まず、図１３（ａ）に示すように、テーブル７をＭＲＩガントリ１から最大に引き出した状態で、天板９上に被検体２を載せる。この後、解除レバー３３を握り、テーブルロック装置２０（図７）のロック状態を解除し、図１３（ｂ）に示すように、撮像部位が仮想磁場中心に重なるまでテーブル７をＭＲＩガントリ１側へ移動させる。
【００５７】
このとき、磁場中心セットレバー３４は握らず、カムフォロア１７のロックを解除しておく。この状態では、補助車輪１９の転がり摩擦力がカムフォロア１７の転がり摩擦力よりも十分に高いため、第１の位置決め部材１６は、第２の位置決め部材１８に対して移動されず、テーブル７に対してのみ移動される。即ち、テーブル７が第１の位置決め部材１６に対して移動される。
【００５８】
この後、磁場中心セットレバー３４を握り、図１３（ｃ）に示すように、補助車輪１９が第３のストッパ１８ａに当接するまで、テーブル７をＭＲＩガントリ１内に押し込む。このとき、磁場中心セットレバー３４が握られているため、カムフォロア１７の回転がロックされている。この状態では、テーブル７は第１の位置決め部材１６に対して移動されず、第１の位置決め部材１６が第２の位置決め部材１８に対して移動される。
【００５９】
また、テーブル７は、第３及び第４のストッパ１８ａ，１８ｂ間の距離分だけ移動されるため、撮像部位は、仮想磁場中心から磁場中心まで正確に移動されることになる。この状態で磁場中心セットレバー３４を解除することにより、テーブル７がロックされる。
【００６０】
このようなＭＲＩ装置では、第１の位置決め部材１６に対してテーブル７を移動させて撮像部位を仮想磁場中心に移動させた後、第１の位置決め部材１６に対するテーブル７の移動に抵抗を与えた状態で、テーブル７と第１の位置決め部材１６とをオフセット距離だけ撮像空間側へ移動させることにより、撮像部位が磁場中心に重なった位置でテーブル７を機械的に止めることができ、磁場中心に対する被検体２の位置合わせをより正確、かつ速やかに行うことができる。
【００６１】
なお、実施の形態２では、第１の抵抗印加手段としてカムフォロアロック装置を示したが、第２の抵抗印加手段はこれに限定されるものではなく、例えば第１の位置決め部材１６に対して直接係合するものでもよい。
また、実施の形態２において、撮像部位を仮想磁場中心に移動させる際に補助車輪１９をロックする補助車輪ロック装置を追加してもよい。この場合、補助車輪１９の転がり摩擦力をカムフォロア１７の転がり摩擦力よりも高く設定しなくてもよい。
【００６２】
実施の形態３．
次に、図１４はこの発明の実施の形態３のＭＲＩ装置による撮像セッティングの手順を示す説明図である。実施の形態１では、テーブル７を被検体２の体軸直交方向へ移動可能としたが、実施の形態３では、テーブル７が被検体２の体軸方向へ水平に移動可能となっている。他の構成は、実施の形態１と同様である。
【００６３】
このように、テーブル７の移動方向が被検体体軸方向であっても、実施の形態１と同様の効果を得ることができる。
【００６４】
なお、実施の形態２で示したＭＲＩ装置についても、実施の形態３と同様に、テーブル７を被検体体軸方向へ移動可能としてもよい。
また、実施の形態１〜３において、仮想磁場中心表示手段は、仮想磁場中心レーザ投光器１３に限定されるものではない。
【符号の説明】
【００６５】
１  ＭＲＩガントリ、２  被検体、７  テーブル、１３  仮想磁場中心レーザ投光器（仮想磁場中心表示手段）、１４  主車輪、１６  第１の位置決め部材、１６ａ  第１のストッパ、１６ｂ  第２のストッパ、１７  カムフォロア（第１の抵抗印加手段）、１８  第２の位置決め部材、１８ａ  第３のストッパ、１８ｂ  第４のストッパ、１９  補助車輪（第２の抵抗印加手段）、２０  テーブルロック装置、２８  補助車輪ロック装置（第２の抵抗印加手段）、３３  解除レバー、３４  磁場中心セットレバー。
【図１】
2012223486.tif 000003
【図２】
2012223486.tif 000004
【図３】
2012223486.tif 000005
【図４】
2012223486.tif 000006
【図５】
2012223486.tif 000007
【図６】
2012223486.tif 000008
【図７】
2012223486.tif 000009
【図８】
2012223486.tif 000010
【図９】
2012223486.tif 000011
【図１０】
2012223486.tif 000012
【図１１】
2012223486.tif 000013
【図１２】
2012223486.tif 000014
【図１３】
2012223486.tif 000015
【図１４】
2012223486.tif 000016